(57)【要約】【課題】色再現性を向上させる画像読取装置を提供する。【解決手段】読取対象から画像情報を読み取る画像読取装置であって、赤色光源と、緑色光源と、青色光源と、紫外光源とを含む発光部と、発光部から発生した光を一様化して読取対象へ照射するための導光体と、読取対象への光照射により生じる反射像の各領域の輝度を示す値を出力する光電変換部と、読取対象から光電変換部までの光路上に配置され、紫外成分を遮断するためのカットフィルターと、予め定められた順序で発光部からいずれかの光を発生させるとともに、光電変換部から順次出力されるそれぞれの出力値を、対応する光の波長特性と対応付けて処理することで、読取対象の画像情報を生成する制御部とを備える。読取対象の画像情報を生成する処理は、読取対象の蛍光色を推定し、推定した蛍光色に応じて赤色光源、緑色光源、青色光源からの光を読取対象に照射したときにそれぞれ出力される出力値のうち少なくとも１つの出力値を調整する。【選択図】図１３
2018067769.tif 000002
【特許請求の範囲】
【請求項１】
読取対象から画像情報を読み取る画像読取装置であって、
赤色波長成分を含む光を発生する赤色光源と、緑色波長成分を含む光を発生する緑色光源と、青色波長成分を含む光を発生する青色光源と、紫外成分を含む光を発生する紫外光源とを含む発光部と、
前記発光部から発生した光を一様化して前記読取対象へ照射するための導光体と、
前記読取対象への光照射により生じる反射像の各領域の輝度を示す値を出力する光電変換部と、
前記読取対象から前記光電変換部までの光路上に配置され、紫外成分を遮断するためのカットフィルターと、
予め定められた順序で前記発光部からいずれかの光を発生させるとともに、前記光電変換部から順次出力されるそれぞれの出力値を、対応する光の波長特性と対応付けて処理することで、前記読取対象の画像情報を生成する制御部とを備え、
前記読取対象の画像情報を生成する処理は、前記読取対象の蛍光色を推定し、推定した蛍光色に応じて前記赤色光源、前記緑色光源、前記青色光源からの光を前記読取対象に照射したときにそれぞれ出力される出力値のうち少なくとも１つの出力値を調整する、画像読取装置。
【請求項２】
前記読取対象の画像情報を生成する処理は、前記赤色光源、前記緑色光源、前記青色光源からの光を前記読取対象に照射したときにそれぞれ出力される出力値のうち少なくとも１つの出力値から、前記紫外光源からの光を前記読取対象に照射したときの出力値に応じた補正量に従って調整する、請求項１記載の画像読取装置。
【請求項３】
前記読取対象の画像情報を生成する処理は、前記読取対象の蛍光色がシアン色あるいは青色周辺であると推定した場合には、前記補正量の係数は小さく、前記読取対象の蛍光色が赤色周辺であると推定した場合には、前記補正量の係数は大きく設定される、請求項２記載の画像読取装置。
【請求項４】
前記読取対象の画像情報を生成する処理は、前記読取対象の蛍光色が橙色であると推定した場合には、前記赤色光源からの光を前記読取対象に照射したときの出力値を増加させ、前記緑色光源からの光を前記読取対象に照射したときの出力値を減少させ、前記青色光源からの光を前記読取対象に照射したときの出力値を減少させる、請求項１記載の画像読取装置。
【請求項５】
前記読取対象の画像情報を生成する処理は、前記読取対象の蛍光色がピンク色であると推定した場合には、前記赤色光源からの光を前記読取対象に照射したときの出力値を増加させ、前記緑色光源からの光を前記読取対象に照射したときの出力値を減少させる、請求項１記載の画像読取装置。
【請求項６】
前記読取対象の画像情報を生成する処理は、前記読取対象の蛍光色が黄色であると推定した場合には、前記赤色光源からの光を前記読取対象に照射したときの出力値を増加させ、前記緑色光源からの光を前記読取対象に照射したときの出力値を増加させ、前記青色光源からの光を前記読取対象に照射したときの出力値を減少させる、請求項１記載の画像読取装置。
【請求項７】
前記読取対象の画像情報を生成する処理は、前記読取対象の蛍光色が緑色であると推定した場合には、前記緑色光源からの光を前記読取対象に照射したときの出力値を増加させ、前記青色光源からの光を前記読取対象に照射したときの出力値を減少させる、請求項１記載の画像読取装置。
【請求項８】
前記読取対象の画像情報を生成する処理は、前記読取対象の蛍光色が青色であると推定した場合には、前記青色光源からの光を前記読取対象に照射したときの出力値を増加させる、請求項１記載の画像読取装置。
【請求項９】
前記読取対象の画像情報を生成する処理は、前記読取対象の蛍光色がシアン色であると推定した場合には、前記緑色光源からの光を前記読取対象に照射したときの出力値を増加させ、前記青色光源からの光を前記読取対象に照射したときの出力値を増加させる、請求項１記載の画像読取装置。
【請求項１０】
前記推定した蛍光色に応じた前記補正量の係数を設定するための複数のパラメータを有するテーブルをさらに備え、
前記テーブルの複数のパラメータに関して、
前記読取対象の蛍光色が赤色に類似する色については多く設定され、
前記読取対象の蛍光色がシアン色および青色に類似する色については、少なく設定される、請求項３〜９のいずれか１項に記載の画像読取装置。
【請求項１１】
読取対象から画像情報を読み取る画像読取装置と、
前記画像読取装置により読み取られた画像情報に基づいて画像を形成する画像形成部とを備え、
前記画像読取装置は、
赤色波長成分を含む光を発生する赤色光源と、緑色波長成分を含む光を発生する緑色光源と、青色波長成分を含む光を発生する青色光源と、紫外成分を含む光を発生する紫外光源とを含む発光部と、
前記発光部から発生した光を一様化して前記読取対象へ照射するための導光体と、
前記読取対象への光照射により生じる反射像の各領域の輝度を示す値を出力する光電変換部と、
前記読取対象から前記光電変換部までの光路上に配置され、紫外成分を遮断するためのカットフィルターと、
予め定められた順序で前記発光部からいずれかの光を発生させるとともに、前記光電変換部から順次出力されるそれぞれの出力値を、対応する光の波長特性と対応付けて処理することで、前記読取対象の画像情報を生成する制御部とを含み、
前記読取対象の画像情報を生成する処理は、前記読取対象の蛍光色を推定し、推定した蛍光色に応じて前記赤色光源、前記緑色光源、前記青色光源からの光を前記読取対象に照射したときにそれぞれ出力される出力値のうち少なくとも１つの出力値を調整する、画像形成装置。
【請求項１２】
読取対象から画像情報を読み取る画像読取方法であって、
赤色波長成分を含む光を発生する赤色光源と、緑色波長成分を含む光を発生する緑色光源と、青色波長成分を含む光を発生する青色光源と、紫外成分を含む光を発生する紫外光源とを含む発光部から、予め定められた順序でいずれかの光を発生させるステップを備え、前記発光部から発生した光が導光体により一様化された上で前記読取対象へ照射され、前記読取対象から光電変換部までの光路上に、紫外成分を遮断するためのカットフィルターが配置されており、
前記光電変換部から順次出力される、前記読取対象への光照射により生じる反射像の各領域の輝度を示す出力値を対応する光の波長特性と対応付けて格納するステップと、
前記格納した出力値から前記読取対象の画像情報を生成するステップとを備え、
前記読取対象の画像情報を生成するステップは、
前記読取対象の蛍光色を推定するステップと、
推定した蛍光色に応じて前記赤色光源、前記緑色光源、前記青色光源からの光を前記読取対象に照射したときにそれぞれ出力される出力値のうち少なくとも１つの出力値を調整するステップとを含む、画像読取方法。
【発明の詳細な説明】
【技術分野】
【０００１】
本技術は、異なる波長特性を有する光を順次切り換えて照射することで、読取対象からの画像情報を生成する画像読取装置、画像形成装置および画像読取方法に関するものである。
【背景技術】
【０００２】
任意の読取対象から光学的に画像情報を読み取る画像読取装置が広く普及している。このような画像読取装置は、複写機、ファクシミリ、複合機といった画像形成装置の一部分として実装されることも多い。
【０００３】
画像読取装置が読取対象から光学的に画像情報を読み取る典型的な構成の１つとして、ラインセンサーを用いた構成が採用される。具体的には、撮像素子であるラインセンサーと読取対象との間を一定速度で相対移動させつつ、読取対象の被撮像面からラインセンサーが連続的に画像を取得する。相対移動させる構成としては、原稿を移動させる構成、ラインセンサーを搭載したキャリッジを移動させる構成、両方を移動させる構成が挙げられる。
【０００４】
このような構成において使用されるラインセンサーとしては、いわゆる、ＣＣＤ（Charge Coupled Device：電荷結合素子）読取方式、３ラインＣＩＳ（Contact Image Sensor：密着型イメージセンサー）読取方式、１ラインＣＩＳ読取方式などが知られている。
【０００５】
ＣＣＤ読取方式および３ラインＣＩＳ読取方式では、比較的広い波長範囲を有する光（典型的には、白色光）を読取対象に照射するとともに、読取対象での反射によって生じた反射光を、受光素子の近傍に配置されたカラーフィルターを用いて、複数の波長成分（一般的には、赤色、緑色、青色の３原色）に分離し、分離したそれぞれの波長成分を並列的に受光することで、色ごとの画像信号を取得し、これらの画像信号を処理することで、カラーの画像データなどを生成する。このような方式を、カラーフィルター方式と称することもある。
【０００６】
これに対して、１ラインＣＩＳ読取方式では、互いに異なる波長特性を有する光（典型的には、赤色光、緑色光、青色光）を発する複数の光源を配置するとともに、ラインセンサーと読取対象との間を一定速度で相対移動させつつ、これらの光源を予め定められた順序での順次点灯を繰り返すとともに、複数の光源からのいずれの光の波長に対しても感度を有する受光素子を用いて、光の照射タイミングに対応付けて、画像信号を順次読み取ることで、色ごとの画像信号を取得し、これらの画像信号を処理することで、カラーの画像データなどを生成する。このような方式を、光源切替方式／光源順次方式と称することもある。
【０００７】
１ラインＣＩＳ読取方式は、原理的に、ＣＣＤ読取方式または３ラインＣＩＳ読取方式に比較して色再現性などに劣るものの、必要な受光素子が少ないので、これらの２方式に対して、コスト的には有利である。
【０００８】
色再現性に関して、例えば、蛍光ペンなどでマークされた部分に含まれる原稿に着目した先行技術が存在する。
【０００９】
例えば、特開平１０−１０７９７０号公報（特許文献１）は、一般に市販されている黄色系、ピンク（マゼンタ）系、シアン系の蛍光ペンで加筆した原稿、あるいは、それに類似した蛍光インキで印刷した原稿画像を複写した場合に、原稿画像の色とは程遠い色で再現されるという課題を解決することを目的とする。具体的には、紫外光を照射した際に検出される蛍光成分に応じて、Ｍ，Ｃ，Ｙ，Ｂｋの画像データの濃度を減じる（Ｒ、Ｇ、Ｂの濃度を増やすことと等価）補正を行なうことで、蛍光色がコピー出力上で見た目よりくすんで見えるという課題を解消することが開示されている。
【００１０】
また、紫外線を照射する構成に関して、特開２００４−１２７２３５号公報（特許文献２）は、文書の機械読取り可能ゾーン（ＭＲＺ）上に現われる印を照明し、読取り、解釈するための装置であって、印が非可視光による照明の下でのみ可視化される文書読取り装置を開示する。具体的には、特開２００４−１２７２３５号公報（特許文献２）は、紫外光カットフィルターを備えた紫外光光源読取部と複数の波長の可視光を持つ可視光光源読取部とを備え、パスポート、紙幣等の蛍光マークの検出と可視光画像の取得とを独立に行なう構成を開示する。
【先行技術文献】
【特許文献】
【００１１】
【特許文献１】特開平１０−１０７９７０号公報
【特許文献２】特開２００４−１２７２３５号公報
【発明の概要】
【発明が解決しようとする課題】
【００１２】
上述の特開平１０−１０７９７０号公報（特許文献１）は、ＣＣＤ読取方式または３ラインＣＩＳ読取方式において生じ得る、「蛍光色が肉眼目視よりくすんで見える」といった課題に対する解決手段を与えるのみであり、後述するような１ラインＣＩＳ読取方式において生じる色再現性に関する課題を解決するようなものではない。
【００１３】
また、特開２００４−１２７２３５号公報（特許文献２）は、パスポート、紙幣などに予め付与されている不可視のマークを検出するような技術に向けられており、画像読取装置における色再現性に関する課題を解決するようなものではない。
【００１４】
本技術は、読取対象に対して、異なる波長特性を有する光を順次切り替えて照射しつつ、その照射により生じる反射光を単一のラインセンサーを用いて検出する構成において、色再現性を向上させる新たな構成を提供することを１つの目的とする。
【課題を解決するための手段】
【００１５】
本開示のある局面に従う読取対象から画像情報を読み取る画像読取装置であって、赤色波長成分を含む光を発生する赤色光源と、緑色波長成分を含む光を発生する緑色光源と、青色波長成分を含む光を発生する青色光源と、紫外成分を含む光を発生する紫外光源とを含む発光部と、発光部から発生した光を一様化して読取対象へ照射するための導光体と、読取対象への光照射により生じる反射像の各領域の輝度を示す値を出力する光電変換部と、読取対象から光電変換部までの光路上に配置され、紫外成分を遮断するためのカットフィルターと、予め定められた順序で発光部からいずれかの光を発生させるとともに、光電変換部から順次出力されるそれぞれの出力値を、対応する光の波長特性と対応付けて処理することで、読取対象の画像情報を生成する制御部とを備える。読取対象の画像情報を生成する処理は、読取対象の蛍光色を推定し、推定した蛍光色に応じて赤色光源、緑色光源、青色光源からの光を読取対象に照射したときにそれぞれ出力される出力値のうち少なくとも１つの出力値を調整する。
【００１６】
好ましくは、読取対象の画像情報を生成する処理は、赤色光源、緑色光源、青色光源からの光を読取対象に照射したときにそれぞれ出力される出力値のうち少なくとも１つの出力値から、紫外光源からの光を読取対象に照射したときの出力値に応じた補正量に従って調整する。
【００１７】
好ましくは、読取対象の画像情報を生成する処理は、読取対象の蛍光色がシアン色あるいは青色周辺であると推定した場合には、補正量の係数は小さく、読取対象の蛍光色が赤色周辺であると推定した場合には、補正量の係数は大きく設定される。
【００１８】
好ましくは、読取対象の画像情報を生成する処理は、読取対象の蛍光色が橙色であると推定した場合には、赤色光源からの光を読取対象に照射したときの出力値を増加させ、緑色光源からの光を読取対象に照射したときの出力値を減少させ、青色光源からの光を読取対象に照射したときの出力値を減少させる。
【００１９】
好ましくは、読取対象の画像情報を生成する処理は、読取対象の蛍光色がピンク色であると推定した場合には、赤色光源からの光を読取対象に照射したときの出力値を増加させ、緑色光源からの光を読取対象に照射したときの出力値を減少させる。
【００２０】
好ましくは、読取対象の画像情報を生成する処理は、読取対象の蛍光色が黄色であると推定した場合には、赤色光源からの光を読取対象に照射したときの出力値を増加させ、緑色光源からの光を読取対象に照射したときの出力値を増加させ、青色光源からの光を読取対象に照射したときの出力値を減少させる。
【００２１】
好ましくは、読取対象の画像情報を生成する処理は、読取対象の蛍光色が緑色であると推定した場合には、緑色光源からの光を読取対象に照射したときの出力値を増加させ、青色光源からの光を読取対象に照射したときの出力値を減少させる。
【００２２】
好ましくは、読取対象の画像情報を生成する処理は、読取対象の蛍光色が青色であると推定した場合には、青色光源からの光を読取対象に照射したときの出力値を増加させる。
【００２３】
好ましくは、読取対象の画像情報を生成する処理は、読取対象の蛍光色がシアン色であると推定した場合には、緑色光源からの光を読取対象に照射したときの出力値を増加させ、青色光源からの光を読取対象に照射したときの出力値を増加させる。
【００２４】
本開示のある局面に従う画像形成装置であって、読取対象から画像情報を読み取る画像読取装置と、画像読取装置により読み取られた画像情報に基づいて画像を形成する画像形成部とを備える。画像読取装置は、赤色波長成分を含む光を発生する赤色光源と、緑色波長成分を含む光を発生する緑色光源と、青色波長成分を含む光を発生する青色光源と、紫外成分を含む光を発生する紫外光源とを含む発光部と、発光部から発生した光を一様化して読取対象へ照射するための導光体と、読取対象への光照射により生じる反射像の各領域の輝度を示す値を出力する光電変換部と、読取対象から光電変換部までの光路上に配置され、紫外成分を遮断するためのカットフィルターと、予め定められた順序で発光部からいずれかの光を発生させるとともに、光電変換部から順次出力されるそれぞれの出力値を、対応する光の波長特性と対応付けて処理することで、読取対象の画像情報を生成する制御部とを含む。読取対象の画像情報を生成する処理は、読取対象の蛍光色を推定し、推定した蛍光色に応じて赤色光源、緑色光源、青色光源からの光を読取対象に照射したときにそれぞれ出力される出力値のうち少なくとも１つの出力値を調整する。
【００２５】
本開示のある局面に従う読取対象から画像情報を読み取る画像読取方法であって、赤色波長成分を含む光を発生する赤色光源と、緑色波長成分を含む光を発生する緑色光源と、青色波長成分を含む光を発生する青色光源と、紫外成分を含む光を発生する紫外光源とを含む発光部から、予め定められた順序でいずれかの光を発生させるステップを備え、発光部から発生した光が導光体により一様化された上で読取対象へ照射され、読取対象から光電変換部までの光路上に、紫外成分を遮断するためのカットフィルターが配置されており、光電変換部から順次出力される、読取対象への光照射により生じる反射像の各領域の輝度を示す出力値を対応する光の波長特性と対応付けて格納するステップと、格納した出力値から読取対象の画像情報を生成するステップとを備える。読取対象の画像情報を生成するステップは、読取対象の蛍光色を推定するステップと、推定した蛍光色に応じて赤色光源、緑色光源、青色光源からの光を読取対象に照射したときにそれぞれ出力される出力値のうち少なくとも１つの出力値を調整するステップとを含む。
【発明の効果】
【００２６】
本技術によれば、読取対象に対して、異なる波長特性を有する光を順次切り替えて照射しつつ、その照射により生じる反射光を単一のラインセンサーを用いて検出する構成において、色再現性を向上できる。
【図面の簡単な説明】
【００２７】
【図１】本実施の形態に従う画像読取装置を含む画像形成装置の外観構成例を示す模式図である。
【図２】本実施の形態に従う画像読取装置４の断面構成例を示す模式図である。
【図３】関連技術に従う１ラインＣＩＳ読取方式の構成例を示す模式図である。
【図４】蛍光色素による描画部分から生じる反射光の波長特性を説明するための模式図である。
【図５】蛍光色素による描画部分を含む読取対象を１ラインＣＩＳ読取方式で読み取る場合の処理を説明するための図である。
【図６】蛍光色素を含む描画部分を有する読取対象からＣＣＤ読取方式および１ラインＣＩＳ読取方式でそれぞれ読み取った画像情報の再現結果の一例を示す模式図である。
【図７】本実施の形態に従う画像読取装置４の読取部２２の構成例を示す模式図である。
【図８】図７に示す発光部２２０を構成する各光源および紫外域カットフィルターの波長特性（スペクトル）の一例を示す図である。
【図９】本実施の形態に従う画像読取装置４での蛍光補正処理における好ましい光源の点灯順序を説明するための模式図である。
【図１０】ＣＣＤ読取方式と１ラインＣＩＳ読取方式との読取結果の一例を示す図である。
【図１１】ＣＣＤ読取方式と１ラインＣＩＳ読取方式との読取結果の別の例を示す図である。
【図１２】本実施の形態に従う画像読取装置４における画像読取に係るハードウェア構成例を示す模式図である。
【図１３】本実施の形態に従う画像読取装置４における蛍光補正処理の処理手順を示すフローチャートである。
【図１４】補間テーブルの一例を説明する図である。
【発明を実施するための形態】
【００２８】
本発明の実施の形態について、図面を参照しながら詳細に説明する。なお、図中の同一または相当部分については、同一符号を付してその説明は繰り返さない。
【００２９】
＜Ａ．装置構成＞
次に、本実施の形態に従う画像読取装置および画像読取装置を含む画像形成装置の装置構成について説明する。以下では、典型例として、画像読取装置を含む複合機（ＭＦＰ：Multi-Functional Peripheral）として実装される画像形成装置１について説明する。特にこれに限定されることなく、画像読取装置を含む複写機またはファクシミリとして実装してもよいし、画像読取装置を単一の装置として実装してもよい。
【００３０】
（ａ１：画像形成装置）
図１は、本実施の形態に従う画像読取装置を含む画像形成装置の外観構成例を示す模式図である。図１を参照して、本実施の形態に従う画像形成装置１は、コピー機能、スキャナ機能、プリンター機能、ファックス機能といった複数の機能を有しており、ＬＡＮ（Local Area Network）や電話回線などのネットワークを介してのデータを送受信できる。すなわち、画像形成装置１は、スキャナ機能またはコピー機能として、読取対象から読み取った画像情報（画像データ）をネットワーク経由で他のコンピュータに出力することができ、プリンター機能またはファックス機能として、ネットワーク経由で他のコンピュータから画像情報（画像データ）を取得し、当該画像データに基づく印刷、または、ＦＡＸの送信ができる。
【００３１】
画像読取装置を画像形成装置に実装した場合において、画像形成装置の画像形成部（プリントエンジン）については、どのような方式を採用してもよい。例えば、電子写真方式（モノクロ方式またはカラー方式）、インクジェット方式、感熱方式、熱転写方式などが挙げられる。図１には、典型例として、電子写真方式を採用した画像形成装置１を示す。
【００３２】
画像形成装置１は、画像形成部５と、画像形成部５の下部に配置された給紙部６と、画像形成部５の上部に配置された画像読取装置４とからなる。
【００３３】
画像読取装置４は、読取対象から画像情報を読み取って画像データなどを出力するものであり、主として、読取本体部２および自動原稿搬送部３からなる。ユーザは、１枚の原稿を読取本体部２に直接配置して画像情報を読み取らせることもでき、あるいは、１または複数枚の原稿を自動原稿搬送部３に配置して画像情報を連続的に読み取らせることもできる。この連続読取動作において、読取本体部２と自動原稿搬送部３とは同期して作動することで、自動原稿搬送部３に配置された原稿を１枚ずつから読取本体部２に向けて搬送し、読取本体部２は原稿が所定の位置を通過する際に画像情報を読み取って、画像データを生成する。
【００３４】
給紙部６は、記録媒体である紙を収容するとともに、画像形成部５での画像形成動作に対応させて、収納している記録媒体を１枚ずつ画像形成部５に供給する。
【００３５】
画像形成部５は、画像読取装置４により読み取られた画像データ、ネットワーク経由で取得した画像データ、直接入力された画像データなどに基づいて、給紙部６から供給される記録媒体上に画像を形成する。このように、画像形成部５は、任意の画像データを記録媒体上に印刷する。一つの典型例として、画像形成部５は、画像読取装置４により読み取られた画像情報に基づいて画像を形成する。画像形成部５により画像が形成された記録媒体は、画像形成部５と読取本体部２との間にある排紙部７に出力される。
【００３６】
画像形成装置１の正面側（ユーザが操作する側）には、複数のキーまたはボタンを有する操作パネル８が設けられている。操作パネル８は、ユーザからの操作指示などを受け付け、その受付けた操作指示を画像形成部５などへ出力する。
【００３７】
（ａ２：画像読取装置）
次に、図１に示す画像読取装置４の装置構成について、より詳細に説明する。
【００３８】
図２は、本実施の形態に従う画像読取装置４の断面構成例を示す模式図である。
図２に示す画像読取装置４の構成例では、原稿の両面から画像情報を読み取ることができる。具体的には、自動原稿搬送部３は、１または複数枚の原稿７０が配置される給紙トレイ３１を有している。給紙トレイ３１に配置された原稿７０は、ピックアップローラ３２および給紙ローラー対３３にて、最上層のものから１枚ずつ原稿搬送路３０に送り出される。原稿搬送路３０において、原稿７０は、中間ローラー対３４によりレジストローラ対３５まで搬送される。レジストローラ対３５は、斜行補正ローラーとして機能し、搬送された原稿７０を本来の姿勢に補正するとともに、原稿７０を所定のタイミングで第１搬送ローラー対３６に向けて送り出す。原稿７０は、第１搬送ローラー対３６によって、読取本体部２の搬送読取面であるスリットガラス２１上に送り出されるとともに、読取ローラー４２によって、スリットガラス２１上を通過する。
【００３９】
原稿７０がスリットガラス２１上を通過する際に、スリットガラス２１の下方に位置する第１読取部２２が、原稿７０における下向きの面（表面）の画像情報を読み取る。
【００４０】
原稿搬送路３０のスリットガラス２１より搬送下流側には、第２搬送ローラー対３７と、第２読取部３８と、第３搬送ローラー対３９と、排紙ローラー４０とが配置されている。スリットガラス２１上を通過した原稿７０は、第２搬送ローラー対３７により第２読取部３８の直下まで送り出される。原稿７０が第２読取部３８の直下を通過する際に、原稿７０における上向きの面（裏面）の画像情報を読み取る。
【００４１】
第２読取部３８の直下を通過した原稿７０は、第３搬送ローラー対３９および排紙ローラー４０により、排紙トレイ４１上に排出される。
【００４２】
読取本体部２の上面には、スリットガラス２１とプラテンガラス２３とが設けられている。第１読取部２２は、読取本体部２の内部に配置される。第１読取部２２は、スリットガラス２１上を通過する原稿７０の表面の画像情報、および／または、プラテンガラス２３上に配置された原稿７０の画像情報の読み取りに用いられる。スリットガラス２１上を通過する原稿７０の画像情報を読み取る際には、走査ユニット２４および走行ユニット２５は固定した状態に置かれる。一方、プラテンガラス２３上に配置された原稿７０の画像情報を読み取る際には、走査ユニット２４および走行ユニット２５が副走査方向Ｙに移動することで、第１読取部２２が読み取る範囲を順次変更する。
【００４３】
走査ユニット２４および走行ユニット２５は、読取本体部２内に配置された一対の支持レール４６に支持されており、図示しないアクチュエータの動力によってスライド移動する。
【００４４】
第２読取部３８は、自動原稿搬送部３内に固定的に配置される。第２読取部３８は、読取ローラー４３によって搬送される原稿７０の裏面の画像情報を読み取る。読取ローラー４３は、原稿７０を搬送する機能の他、シェーディング補正用の白色基準体としての機能も兼ねている。
【００４５】
第１読取部２２および第２読取部３８は、原稿の読取対象の面に向けて光を照射するための光源と、読取対象で生じた反射光を受光するためのラインセンサーとを含む。ラインセンサーは、主走査方向に沿って並ぶ複数の光電変換素子からなり、入射した反射光の輝度（光の強度）に応じた出力値を出力する。すなわち、ラインセンサーは、読取対象で生じた光学的な反射像を電気的な画像信号に変換して出力する。
【００４６】
本実施の形態に従う画像読取装置４においては、第１読取部２２および第２読取部３８の少なくとも一方のラインセンサーとしてＣＩＳが用いられる。特に、第１読取部２２および／または第２読取部３８は、１ラインＣＩＳ読取方式が採用される。
【００４７】
なお、第１読取部２２および第２読取部３８の両方に１ラインＣＩＳ読取方式を採用する必要はなく、一方のみに１ラインＣＩＳ読取方式を採用するようにしてもよいし、あるいは、画像読取装置４には、第１読取部２２および第２読取部３８の一方のみを採用するようにしてもよい。
【００４８】
＜Ｂ．新たに発見した課題＞
次に、１ラインＣＩＳ読取方式の関連する構成例について説明するとともに、関連構成例における新たに発見した課題について説明する。以下の説明においては、図２に示す第１読取部２２および第２読取部３８を「読取部２２」と総称することもある。
【００４９】
（ｂ１：関連構成例）
図３は、関連技術に従う１ラインＣＩＳ読取方式の構成例を示す模式図である。
【００５０】
１ラインＣＩＳ読取方式の読取部２２＃は、読取対象に対して、異なる波長特性を有する光を順次切り換えて照射するとともに、読取対象から生じる反射像を共通の受光素子（光電変換素子）で順次検出した結果を合成することで、画像情報を生成する。
【００５１】
より具体的には、図３に示す関連技術に係る読取部２２＃は、読取対象の対象面に対して照射するための光を発生する発光部２２０＃と、発光部２２０＃から発生した光を一様化して読取対象へ照射するための導光体２２２と、ラインセンサー２２６と、読取対象からの反射像をラインセンサー２２６上の検出面に結像させる結像レンズ２２４とを含む。
【００５２】
発光部２２０＃は、読取対象へ照射する赤色、緑色、青色の各色の光を生成するための発光手段である。発光部２２０＃は、赤色波長成分を含む光を発生する赤色光源（以下、「Ｒ光源」とも称す。）２２０Ｒと、緑色波長成分を含む光を発生する緑色光源（以下、「Ｇ光源」とも称す。）２２０Ｇと、青色波長成分を含む光を発生する青色光源（以下、「Ｂ光源」とも称す。）２２０Ｂとを含む。
【００５３】
導光体２２２は、発光部２２０＃と一体的に配置または近接した位置に配置され、発光部２２０＃から発生した光を空間的に平滑化（均一化）するとともに、発光部２２０＃からの光を読取対象の方向に方向付ける。
【００５４】
ラインセンサー２２６は、主走査方向に沿って複数の光電変換素子を配置したＣＩＳが用いられる。ラインセンサー２２６は、モノクロセンサーがライン状に配置された一種のセンサー群であり、各光電変換素子は、各光電変換素子に入射した像の輝度（明るさ／光の強度）に応じた大きさの信号を出力する。
【００５５】
結像レンズ２２４は、ラインセンサー２２６の焦点距離を短縮化するための結像光学系であり、例えば、主走査方向に沿って複数の屈折率分布型レンズを配置したＳＬＡ（Selfoc Lens Array）を用いることができる。ＳＬＡは、ラインセンサー２２６上に、全体として１つの連続した像を形成できる結像光学系である。
【００５６】
図３に示す読取部２２＃では、単一のラインセンサー２２６（モノクロセンサーのアレイ）を用いて、発光部２２０＃から照射する光源を順次切り替えることで、読取対象からの反射像に含まれる複数の波長成分を時間的に分離する。すなわち、発光部２２０＃に含まれる、Ｒ光源２２０Ｒ、Ｇ光源２２０Ｇ、Ｂ光源２２０Ｂを順次切り替えて発光させることで、Ｒ、Ｇ、Ｂの色ごとのラインデータを順次取得する。このラインデータの取得に際して、波長分離を行なう機構は存在しないため、各ラインデータを取得したときに発光していた光源からの光と同じ波長の光を受光していたものとみなして、波長成分を時間的に分離する。
【００５７】
ラインセンサー２２６から出力される電気信号は、図示しない画像処理部へ与えられて、アナログ信号処理、Ａ／Ｄ（Analog to Digital）変換、シェーディング補正、画像圧縮処理などを経て、デジタル化した画像データとして出力される。この画像データを出力するための処理において、色ごとのラインデータに対して、対応する光源の波長特性が乗じられることで、反射像のスペクトルおよび反射像のカラーの画像情報を再生できる。
【００５８】
（ｂ２：新たに発見した課題）
次に、図３に示すような１ラインＣＩＳ読取方式の読取部を用いて画像情報を読み取る場合に生じ得る、本願発明者らが発見した色再現性に関する新たな課題について説明する。
【００５９】
図３に示すような１ラインＣＩＳ読取方式の読取部を用いて原稿の画像情報を読み取る場合、原稿内に蛍光色素により描画されている領域があると、読み取られた画像情報において、当該領域の色が本来の色に比較して薄くなり、消えてしまうといった、１ラインＣＩＳ読取方式固有の課題があることを本願発明者は新たに発見した。例えば、一般に市販されている蛍光ペンなどでマークされた原稿などには、蛍光色素による描画の領域が含まれることになり、このような原稿から読み取られた画像データにおいて、対象領域の色が薄くなり、あるいは、消えて見えなくなる場合がある。
【００６０】
このような現象は、蛍光の性質と１ラインＣＩＳ読取方式の原理との組合せに起因するものである。以下、このような現象が生じる理由について説明する。
【００６１】
図４は、蛍光色素による描画部分から生じる反射光の波長特性を説明するための模式図である。
【００６２】
図５は、蛍光色素による描画部分を含む読取対象を１ラインＣＩＳ読取方式で読み取る場合の処理を説明するための図である。
【００６３】
一般的に、蛍光色素は、各色素に特有な固有波長または固有波長域の成分を吸収して、当該吸収した波長よりも長い波長の光（蛍光）を発生する。例えば、可視光の中でも波長の長い赤色または黄色の蛍光を発する蛍光色素については、可視光の波長のより短い青色などの成分を吸収して、赤色または黄色を発光する。
【００６４】
図４には、蛍光ペンでなぞられた描画部分７２を含む原稿７０に対して、青色光を照射した場合の例を示す。この場合、描画部分７２から生じる反射光には、黄色波長成分が主として含まれることになる。
【００６５】
図５には、図４に示す原稿７０を読取対象として、１ラインＣＩＳ読取方式の読取部２２＃を用いて画像情報を読み取る処理を示す。図４を参照して説明したように、Ｂ光源２２０Ｂを点灯すると、読取対象である原稿７０からは、主として黄色波長成分を含む反射光が生じる。読取部２２＃のラインセンサー２２６にはカラーフィルターが装着されていないので、主として黄色波長成分を含む反射光が入射すると、その入射した反射光の輝度に応じた電気信号を、Ｂ光源２２０Ｂを照射したときの検出値（Ｂ信号）として出力する。しかしながら、ラインセンサー２２６に入射した反射光はおおよそ黄色光であるので、出力されるＢ信号は誤った検出結果になる。
【００６６】
すなわち、１ラインＣＩＳ読取方式の読取部２２＃は、反射光と蛍光とが混ざった光を色別に分離する機構（例えば、カラーフィルターなど）を有していないので、受光した光に含まれる蛍光成分を分離することができない。Ｂ光源２２０Ｂが点灯中のラインセンサー２２６からの出力であることから、青色光の反射光と誤って判断してしまう。
【００６７】
この結果、本来得られるべき黄色の描画については、蛍光色素に吸収されるべき青色光を照射した際の出力が蛍光色素により過剰に発現するため、結果的に、色ごとの画像信号の合計出力値としては、輝度が本来の値より大きい、すなわち白に近い薄い色として再現され、あるいは、算出される輝度が大きすぎて消えてしまうといった事態が生じ得る。
【００６８】
図６は、蛍光色素を含む描画部分を有する読取対象からＣＣＤ読取方式および１ラインＣＩＳ読取方式でそれぞれ読み取った画像情報の再現結果の一例を示す模式図である。
【００６９】
図６（Ａ）には、ＣＣＤ読取方式により読取対象として、蛍光色素を含む描画部分７２を有する原稿７０から画像情報を読み取った結果の一例を示す。
【００７０】
この再現された再現画像においては、蛍光色素を含む描画部分７２に対応する描画部分８２は、ほぼ同じ状態で再現される。
【００７１】
図６（Ｂ）には、図５に示すような１ラインＣＩＳ読取方式の読取部２２＃を用いて、蛍光色素を含む描画部分７２を有する原稿７０から画像情報を読み取った結果の一例を示す。
【００７２】
この再現された再現画像においては、蛍光色素を含む描画部分７２に対応する描画部分９２は全体的に薄くなる。
【００７３】
本実施の形態に従う１ラインＣＩＳ読取方式の読取部を含む画像読取装置は、上述したような新たな課題を考慮して、蛍光色素を含む描画部分の読取精度を向上させて、色再現性を高めることを目的とする。
【００７４】
なお、ＣＣＤ読取方式、１ラインＣＩＳ読取方式のそれぞれのラインセンサーのユニットコストを比較すると、ＣＣＤ読取方式、１ラインＣＩＳ読取方式の順で低くなる。すなわち、低コスト化を進めるにあたって、１ラインＣＩＳ読取方式に固有の課題を解決することが重要である。
【００７５】
＜Ｃ．画像読取装置の構成＞
次に、上述したような、本願発明者らが発見した色再現性に関する新たな課題を解決可能な画像読取装置の一例について説明する。
【００７６】
本実施の形態に従う画像読取装置４においては、上述したような新たな課題に対して、本来の色ごとの画像信号を取得するための光源（Ｒ光源、Ｇ光源、Ｂ光源）に加えて、主として、蛍光色素からの蛍光成分を発生させるための別の光源を配置するとともに、当該別の光源からの光照射によって発生した蛍光成分を検出および補正する処理を採用する。
【００７７】
より具体的には、１ラインＣＩＳ読取方式の画像読取装置において、通常の光源（Ｒ光源、Ｇ光源、Ｂ光源）に加えて、紫外領域波長の光を発生する光源と、読取対象からの反射光のうち紫外成分を遮断するカットフィルターとを追加的に配置する。そして、紫外光源からの光を読取対象に照射したときに検出される読取対象からの蛍光成分を用いて、色ごとの画像信号（各色での読取強度）を補正することで、蛍光色に対する色再現性および可読性を向上させる。
【００７８】
図７は、本実施の形態に従う画像読取装置４の読取部２２の構成例を示す模式図である。
【００７９】
図７を参照して、本実施の形態に従う画像読取装置４の読取部２２は、１ラインＣＩＳ読取方式のラインセンサーを採用しており、読取対象に対して、異なる波長特性を有する光を順次切り換えて照射するとともに、読取対象から生じる反射像を共通の受光素子（光電変換素子）で順次検出した結果を合成することで、画像情報を生成する。
【００８０】
より具体的には、読取部２２は、読取対象の対象面に対して照射するための光を発生する発光部２２０と、発光部２２０から発生した光を一様化して読取対象へ照射するための導光体２２２と、ラインセンサー２２６と、読取対象からの反射像をラインセンサー２２６上の検出面に結像させる結像レンズ２２４と、紫外成分を遮断するためのカットフィルター２２８とを含む。
【００８１】
発光部２２０は、読取対象へ照射する赤色、緑色、青色の各色の光を生成するための発光手段である。発光部２２０は、赤色光源（Ｒ光源）２２０Ｒと、緑色光源（Ｇ光源）２２０Ｇと、青色光源（Ｂ光源）２２０Ｂとに加えて、紫外成分を含む光を発生する紫外光源（以下、「ＵＶ光源」とも称す。）２２０ＵＶとを含む。
【００８２】
導光体２２２は、発光部２２０と一体的に配置または近接した位置に配置され、発光部２２０から発生した光を空間的に平滑化（均一化）するとともに、発光部２２０からの光を読取対象の方向に方向付ける。導光体２２２は、発光部２２０により生成された光を読取対象へ導くための部材である。典型的には、導光体２２２は、アクリルなどの樹脂またはガラスなどの光学材料で構成される。
【００８３】
ラインセンサー２２６は、主走査方向に沿って複数の光電変換素子を配置したＣＩＳが用いられる。ラインセンサー２２６は、モノクロセンサーがライン状に配置された一種のセンサー群であり、各光電変換素子は、各光電変換素子に入射した像の輝度（明るさ／光の強度）に応じた大きさの電気信号を出力する。ラインセンサー２２６は、結像レンズ２２４によって結像された光学像を電位信号に変換する光電変換素子であり、読取対象への光照射により生じる反射像の各領域（各光電変換素子の受光面に相当）の輝度を示す値を出力する光電変換部に相当する。
【００８４】
なお、本発明に係る技術思想は、ＣＩＳという名称に限られることなく、共通の光電変換部を用いて、読取対象からの反射像に含まれる複数の波長成分を時間的に分離する構成であれば、どのような構成に対しても適用可能である。
【００８５】
例えば、カラーフィルターが装着されていないＣＣＤを用いてラインセンサー２２６を構成してもよい。また、ラインセンサー２２６の受光素子（光電変換素子）のアレイは、１列に限らず、複数列になるようにしてもよい。
【００８６】
ラインセンサー２２６から出力される電気信号は、後述する画像処理部へ与えられて、アナログ信号処理、Ａ／Ｄ（Analog to Digital）変換、本実施の形態に従う補正処理（後述の蛍光補正処理）、シェーディング補正、画像圧縮処理などを経て、デジタル化した画像データとして出力される。この画像データを出力するための処理において、色ごとのラインデータに対して、対応する光源の波長特性が乗じられることで、反射像のスペクトルおよび反射像のカラーの画像情報を再生できる。
【００８７】
結像レンズ２２４は、ラインセンサー２２６の焦点距離を短縮化するための結像光学系であり、例えば、主走査方向に沿って複数の屈折率分布型レンズを配置したＳＬＡ（Selfoc Lens Array）を用いることができる。ＳＬＡは、ラインセンサー２２６上に、全体として１つの連続した像を形成できる結像光学系である。
【００８８】
カットフィルター２２８は、紫外成分を遮断する帯域通過フィルターあるいは帯域遮断フィルターであり、読取対象から光電変換部であるラインセンサー２２６までの光路上に配置される。これにより、紫外成分の光を発生する発光部２２０の光路上で、読取対象と光電変換素子の間の紫外成分を遮断する。図７に示す構成例においては、読取対象と結像レンズ２２４との間に配置されている例を示すが、結像レンズ２２４とラインセンサー２２６との間に配置されてもよい。
【００８９】
画像読取装置４は、発光部２２０の各光源をそれぞれ順次発光させたときの光電変換素子からの電位信号により、発光部２２０から照射される光の波長成分に対応した画像データを読み取ることになる。
【００９０】
図８は、図７に示す発光部２２０を構成する各光源および紫外域カットフィルターの波長特性（スペクトル）の一例を示す図である。
【００９１】
図８を参照して、Ｒ光源２２０Ｒ、Ｇ光源２２０Ｇ、Ｂ光源２２０Ｂは、それぞれのピーク発光波長が赤色、緑色、青色に対応するような波長特性を有する光を発生する。
【００９２】
ＵＶ光源２２０ＵＶは、紫外成分の光を生成するための発光手段であり、そのピーク発光波長が紫外域にある波長特性を有する光を発生する。ＵＶ光源２２０ＵＶが発生する光は、紫外域の成分を含むものであればよく、それに加えて、可視域の成分を含むようなものであってもよい。すなわち、ＵＶ光源２２０ＵＶが発生する光のスペクトルが紫外域から可視域を含むようなものであってもよい。但し、ＵＶ光源２２０ＵＶが発生する光と、Ｒ光源２２０Ｒが発生する光との間は、波長域において重複しないようにすることが好ましい。すなわち、ＵＶ光源２２０ＵＶからの光の波長は、Ｒ光源２２０Ｒからの光が有する波長とは互いに重複しないように設定されることが好ましい。なお、ＵＶ光源２２０ＵＶからの光とＲ光源２２０Ｒからの光との間で重複する波長域が存在するとしても、その強度差が十分に大きければ、実質的な問題はない。
【００９３】
図８には、カットフィルター２２８の遮断特性を併せて記載する。カットフィルター２２８は、ＵＶ光源２２０ＵＶからの光（紫外光）がラインセンサー２２６に直接入射することを防止する。ＵＶ光源２２０ＵＶからの光は、読取対象から蛍光成分を発生させるために用いられるものであり、その発生した蛍光成分とＵＶ光源２２０ＵＶからの光とが混ざった状態でラインセンサー２２６に入射すると、蛍光成分の強度などを推定することができなくなる。そのため、カットフィルター２２８としては、ＵＶ光源２２０ＵＶからの光の実質的にすべてを遮断できるような遮断特性を有するものが採用される。
【００９４】
但し、カットフィルター２２８は、ＵＶ光源２２０ＵＶからの光を完全に遮断する必要はなく、透過後の光（紫外光）の強度をラインセンサー２２６の検出感度以下にできることが望ましい。
【００９５】
次に、本実施の形態に従う画像読取装置４での蛍光補正処理において好ましい光源の点灯順序について説明する。
【００９６】
図９は、本実施の形態に従う画像読取装置４での蛍光補正処理における好ましい光源の点灯順序を説明するための模式図である。
【００９７】
図９（Ａ）には、画像読取装置４における画像読取動作時における各光源の点灯時の読取範囲を示す。一般的に、１ラインＣＩＳ読取方式においては、各ライン（各ドット）の読み取りに際して、原稿またはラインセンサーとの間の相対移動を停止させることなく連続して行なう。この連続した相対移動に関連付けて、複数の光源を順次点灯させて色ごとの画像信号を取得することになるので、図９（Ａ）に示すように、発光順が隣接する光源間において、読取位置に所定量のズレ（３つの光源を用いる場合には１／３ドット、４つの光源を用いる場合には１／４ドット）が生じる。
【００９８】
厳密に考えると、ラインセンサー２２６からの出力値Ｓ＿Ｒ，Ｓ＿Ｇ，Ｓ＿Ｂ，Ｓ＿ＵＶは、読取対象の互いに異なる読取範囲の値を意味する。画像データに用いる出力値Ｓ＿Ｒ，Ｓ＿Ｇ，Ｓ＿Ｂについては、副走査方向の連続性を考慮して、これらの読取位置誤差を補正することはできるが、蛍光補正処理のみに使用する出力値Ｓ＿ＵＶについては、副走査方向の連続性などを反映した補正が難しい。
【００９９】
そこで、波長が短く蛍光成分からの影響を受けやすいＢ光源２２０Ｂと、蛍光成分の大きさを計測するためのＵＶ光源２２０ＵＶとの発光順序を隣接させることで、１ラインＣＩＳ読取方式に固有に生じる読取位置誤差による画質への影響を小さくできる。すなわち、赤色、緑色、青色、紫外線からなる４つの光源のうち、紫外線の光源と青色の光源とを連続する順番で発光させるようにしてもよい。
【０１００】
このように光源の点灯順序として、Ｂ光源２２０ＢとＵＶ光源２２０ＵＶとが少なくとも連続して発光するように定められることで、蛍光補正の精度を高めることができる。
【０１０１】
＜Ｄ．読取結果および補正処理の概要＞
次に、関連技術に従うＣＣＤ読取方式と１ラインＣＩＳ読取方式と比較しつつ、本実施の形態に従う画像読取装置での補正処理について説明する。
【０１０２】
（ｄ１：読取結果）
まず、図６で説明したＣＣＤ読取方式と１ラインＣＩＳ読取方式との読取結果を以下に示す。
【０１０３】
図１０は、ＣＣＤ読取方式と１ラインＣＩＳ読取方式との読取結果の一例を示す図である。
【０１０４】
図１０（Ａ）に示す読取結果においては、ＣＣＤ読取方式における黄色蛍光インクによるマーク部分について光電変換素子からの出力値が示される。
【０１０５】
また、図１０（Ｂ）に示す読取結果においては、１ラインＣＩＳ読取方式における黄色蛍光インクによるマーク部分について光電変換素子からの出力値が示される。
【０１０６】
Ｒ光源２２０Ｒ、Ｇ光源２２０Ｇ、Ｂ光源２２０Ｂをそれぞれ１度だけ順次点灯させたときに、ある特定画素に対応する光電変換素子から出力されたそれぞれの出力値Ｓ＿Ｒ、Ｓ＿Ｇ、Ｓ＿Ｂを示している。なお、出力値は、それぞれ８ビットの０−２５５の範囲に規格化されているものとする。なお、出力値Ｓ＿Ｒ、Ｓ＿Ｇ、Ｓ＿Ｂが全て０の場合は黒色に相当し、出力値Ｓ＿Ｒ、Ｓ＿Ｇ、Ｓ＿Ｂが全て２５５の場合は白色に相当する。
【０１０７】
ＣＣＤ読取方式においては、目視による色の見え方と、読み取られた色とがほぼ一致している。
【０１０８】
一方で、１ラインＣＩＳ読取方式における黄色蛍光インクによるマーク部分については、目視による色の見え方と、読み取られた色とが一致していない。
【０１０９】
一般的に、黄色蛍光インクは、黄色の蛍光を発する蛍光色素と、主に、青色の波長成分を吸収する黄色色素とを含んでおり、白色光（すなわち、赤色光、緑色光、青色光のすべてを含む光）が照射されると、目視では鮮やかな黄色に見えるものである。この目視での見え方を再現するためには、理想的には、図１０（Ａ）に示されるように出力値Ｓ＿Ｒ、Ｓ＿Ｇの値は大きく、出力値Ｓ＿Ｂの値は小さくなるべきである。
【０１１０】
しかしながら、図１０（Ｂ）においては、理想的には、出力値Ｓ＿ＲおよびＳ＿Ｇに加算される値が出力値Ｓ＿Ｂの値に加算された状態となっている。これにより出力値Ｓ＿ＲおよびＳ＿Ｇと、出力値Ｓ＿Ｂとの差が小さくなるため本来、鮮やかな黄色に見えるはずの描画部分が、白に近い、薄い黄色と読み取られてしまう。本実施の形態に従う画像読取装置は、後述するような補正処理を行なうことで、このような色再現性の課題を解決する。
【０１１１】
図１１は、ＣＣＤ読取方式と１ラインＣＩＳ読取方式との読取結果の別の例を示す図である。
【０１１２】
図１１（Ａ）に示す読取結果においては、ＣＣＤ読取方式における各色の蛍光インクによるマーク部分について光電変換素子からの出力値が示される。
【０１１３】
図１１（Ｂ）に示す読取結果においては、１ラインＣＩＳ読取方式における各色の蛍光インクによるマーク部分について光電変換素子からの出力値が示される。
【０１１４】
ここでは、橙色、桃色、黄色、緑色、青色、青緑色の蛍光インクによるマーク部分について光電変換素子からの出力値が示される。
【０１１５】
各光源が発生する光の波長と各色の蛍光色素の特徴との関係に応じて光電変換素子からの出力値を調整する必要がある。
【０１１６】
本実施の形態に従う画像読取装置４は、画像読取装置４は、Ｒ光源２２０Ｒ、Ｇ光源２２０Ｇ、Ｂ光源２２０Ｂ、ＵＶ光源２２０ＵＶからなる４光源を１つずつ順次点灯させたときに得られる光電変換素子からの出力値に基づいて、主走査方向１列の画像情報を読み取る。
【０１１７】
具体的には、光電変換素子からのそれぞれの出力値に基づいてマーク部分の蛍光インクの色を推定する。そして、推定した蛍光インクの色に基づいて出力値Ｓ＿Ｒ、Ｓ＿ＧおよびＳ＿Ｂのうちの少なくとも１つの出力値を調整する。
【０１１８】
光電変換素子からのそれぞれの出力値に基づいてマーク部分の蛍光インクの色を推定し、例えば蛍光インクの色が橙色の特徴を有すると推定した場合には、図１１（Ｂ）に示されるように、出力値Ｓ＿Ｂの値を大幅に下げ、出力値Ｓ＿Ｇを少し下げ、出力値Ｓ＿Ｒを少し上げる方向に調整する。
【０１１９】
例えば蛍光インクの色が桃色の特徴を有すると推定した場合には、図１１（Ｂ）に示されるように、出力値Ｓ＿Ｇの値を大幅に下げ、出力値Ｓ＿Ｒを少し上げる方向に調整する。
【０１２０】
例えば蛍光インクの色が黄色の特徴を有すると推定した場合には、図１１（Ｂ）に示されるように、出力値Ｓ＿Ｂの値を大幅に下げ、出力値Ｓ＿Ｇ、出力値Ｓ＿Ｒを少し上げる方向に調整する。
【０１２１】
例えば蛍光インクの色が緑色の特徴を有すると推定した場合には、図１１（Ｂ）に示されるように、出力値Ｓ＿Ｂの値を下げ、出力値Ｓ＿Ｇを上げる方向に調整する。
【０１２２】
例えば蛍光インクの色が青色の特徴を有すると推定した場合には、図１１（Ｂ）に示されるように、出力値Ｓ＿Ｂの値を大幅に上げる方向に調整する。
【０１２３】
例えば蛍光インクの色が青緑の特徴を有すると推定した場合には、図１１（Ｂ）に示されるように、出力値Ｓ＿Ｂ、出力値Ｓ＿Ｇを少し上げる方向に調整する。
【０１２４】
以下、このような補正処理を「蛍光補正処理」とも称し、その蛍光補正処理の内容について説明する。
【０１２５】
なお、「蛍光補正処理」との名称は便宜上のものであり、蛍光物質と同様の特性を有する物質が読取対象に存在する場合の補正処理についても、本発明の技術的範囲に含まれ得る。
【０１２６】
＜Ｅ．制御構成および制御方法＞
次に、本実施の形態に従う画像読取を実現するための制御構成および制御方法などについて説明する。
【０１２７】
（ｅ１：ハードウェア構成例）
図１２は、本実施の形態に従う画像読取装置４における画像読取に係るハードウェア構成例を示す模式図である。
【０１２８】
図１２には、読取本体部２およびその周辺回路のブロック図を示す。一例として、図１２には、読取本体部２（図１および図２参照）内に配置されたコントローラ基板６０と、画像処理部５０とが協働して、制御機能を実現する構成例を示す。
【０１２９】
図１２に示す構成においては、制御機能（コントローラ基板６０および画像処理部５０）は、予め定められた順序で発光部２２０からいずれかの光を発生させるとともに、ラインセンサー２２６（光電変換部）から順次出力されるそれぞれの出力値を、対応する光の波長特性と対応付けて処理することで、読取対象の画像情報を生成する。
【０１３０】
コントローラ基板６０は、発光部２２０からの光の照射タイミングを制御するとともに、それぞれの光の照射タイミングに応じて、ラインセンサー２２６（光電変換素子）から出力される電気信号を取得する。より具体的には、コントローラ基板６０は、タイミング制御部６２と、発光制御部６４と、信号取得部６６とを含む。
【０１３１】
タイミング制御部６２は、読取対象の原稿の搬送速度などに基づいて、発光部２２０から発生する光のタイミングを決定し、発光制御部６４へ与えるとともに、信号取得部６６から入力された電気信号をそのときに発光している光源の種別に応じて、出力値Ｓ＿Ｒ，Ｓ＿Ｇ，Ｓ＿Ｂ，Ｓ＿ＵＶのいずれかとして出力する。
【０１３２】
発光制御部６４は、タイミング制御部６２からの指令に従って、発光部２２０を構成する、Ｒ光源２２０Ｒ、Ｇ光源２２０Ｇ、Ｂ光源２２０Ｂ、ＵＶ光源２２０ＵＶ（典型的には、ＬＥＤ（Light Emitting Diode））のいずれかを選択的に駆動する。信号取得部６６は、タイミング制御部６２からの指令に従って、ラインセンサー２２６を構成する光電変換素子を活性化することで、読取対象から入射した反射像を示す電気信号を取得し、その取得した電気信号をタイミング制御部６２へ出力する。
【０１３３】
画像処理部５０は、コントローラ基板６０から出力値Ｓ＿Ｒ，Ｓ＿Ｇ，Ｓ＿Ｂ，Ｓ＿ＵＶを受けて、読取結果である画像データを出力する。より具体的には、画像処理部５０は、蛍光補正処理部５２と、エッジ検出部５４と、色補正部５６とを含む。
【０１３４】
蛍光補正処理部５２は、コントローラ基板６０からの出力値Ｓ＿Ｒ，Ｓ＿Ｇ，Ｓ＿Ｂ，Ｓ＿ＵＶに対して、上述したような蛍光補正処理を実行し、補正後の画像情報を示す補正値Ｉ＿Ｒ，Ｉ＿Ｇ，Ｉ＿Ｂを生成する。
【０１３５】
エッジ検出部５４および色補正部５６は、蛍光補正処理部５２からの補正値Ｉ＿Ｒ，Ｉ＿Ｇ，Ｉ＿Ｂに基づいて画像情報を再生するとともに、必要な入力画像処理を実行して、最終的な画像データとして出力する。この出力された画像データに基づいて、画像形成処理などが実行される。
【０１３６】
なお、画像処理部５０に含まれる蛍光補正処理部５２および入力画像処理（エッジ検出部５４および色補正部５６など）の一部または全部の機能を、読取本体部２に実装してもよい。あるいは、図１２に示す機能を単一のシステム基板などを用いて実現してもよいし、図１２に示す機能の一部をハードワイヤード回路で実現するとともに、残りの機能をプロセッサによりプログラムを実行することで実現するようにしてもよい。
【０１３７】
本発明は、画像読取装置の実装形態を限定するものではなく、当業者であれば、現実に得られる任意の技術を用いて、適宜実装するであろう。
【０１３８】
（ｅ２：処理手順）
次に、本実施の形態に従う画像読取装置４における画像読取の処理手順について説明する。
【０１３９】
図１３は、本実施の形態に従う画像読取装置４における蛍光補正処理の処理手順を示すフローチャートである。
【０１４０】
図１３に示す各ステップは、画像処理部５０およびコントローラ基板６０が連係して実現してもよいし、制御装置のプログラムがプログラムを実行することで実現してもよい。
【０１４１】
まず、読取対象に対する画像読取タイミングが到来すると、画像読取装置４は、発光部２２０を構成する複数の光源のうち予め定められた順序に従って１つの光源を選択し、当該選択した光源からの光を読取対象へ照射する。すなわち、画像読取装置４は、Ｒ光源２２０Ｒと、Ｇ光源２２０Ｇと、Ｂ光源２２０Ｂと、ＵＶ光源２２０ＵＶとを含む発光部２２０から、予め定められた順序でいずれかの光を発生させる。
【０１４２】
併せて、ラインセンサー２２６から出力値を取得するとともに、選択した光源および現在の読取位置に対応付けて格納する。すなわち、画像読取装置４は、ラインセンサー２２６（光電変換部）から順次出力される、読取対象への光照射により生じる反射像の各領域の輝度を示す出力値を対応する光の波長特性（すなわち、色）と対応付けて格納する。
【０１４３】
次に、画像読取装置４は、格納した出力値から読取対象の画像情報を生成する。この読取対象の画像情報を生成する際、蛍光補正処理が実施される。蛍光補正処理は、蛍光補正処理部５２により実行される。
【０１４４】
蛍光補正処理部５２は、蛍光補正処理に際して、ＵＶデータが所定値以上か否かを判断する（ステップＳ２）。
【０１４５】
次に、ステップＳ２において、蛍光補正処理部５２は、ＵＶデータが所定値以上で無いと判断した場合（ステップＳ２においてＮＯ）には、処理を終了する（エンド）。
【０１４６】
一方、ステップＳ２において、蛍光補正処理部５２は、ＵＶデータが所定値以上であると判断した場合（ステップＳ２においてＹＥＳ）には、ステップＳ４以降の蛍光補正処理を実行する。
【０１４７】
ステップＳ４において、蛍光補正処理部５２は、蛍光色を推定する（ステップＳ４）。具体的には、蛍光補正処理部５２は、コントローラ基板６０から出力値Ｓ＿Ｒ，Ｓ＿Ｇ，Ｓ＿Ｂ，Ｓ＿ＵＶを受けて、いずれの蛍光色に近似しているかを推定する。たとえば、図１１で説明した１ラインＣＩＳ読取方式の各蛍光色の読取結果との相関値を算出して、相関値の高い読取結果に対する蛍光色として推定する。
【０１４８】
次に、蛍光補正処理部５２は、ＵＶデータに基づいて調整量αを算出する（ステップＳ６）。本例においては、ＵＶ光源２２０ＵＶを点灯させたときに得られる出力値Ｓ＿ＵＶを用いて補正する。具体的には、調整量αは、出力値Ｓ＿ＵＶ−固定値ＲＥＦｕｖにより算出される。固定値ＲＥＦｕｖは、固定値であり、カットフィルタ２２８で除去できなかった成分の値をオフセットさせるために用いる。
【０１４９】
次に、蛍光補正処理部５２は、補間テーブルに基づいて補間係数βを算出する（ステップＳ８）。
【０１５０】
図１４は、補間テーブルの一例を説明する図である。
図１４に示されるように、各蛍光色に応じた補間係数を説明する図である。
【０１５１】
本例においては、出力値Ｓ＿Ｒ，Ｓ＿Ｇ，Ｓ＿Ｂに対して調整する方向も含む補間係数β＿Ｒ，β＿Ｇ，β＿Ｂが示されている。中央の地点が±０として設定されており、中央を基準として外側は＋、内側は−の補間係数として設定される。
【０１５２】
一例として、黄色の蛍光色の場合には、補間係数β＿Ｒ，β＿Ｇ＞０の値に設定される。これにより、出力値Ｓ＿Ｇ、出力値Ｓ＿Ｒは増加する方向に調整される。一方、補間係数β＿Ｂ＜０の値に設定される。これにより、出力値Ｓ＿Ｂは減少する方向に調整される。他色の蛍光色の場合についても同様である。
【０１５３】
推定された蛍光色に応じた補間係数β＿Ｒ，β＿Ｇ，β＿Ｂが選択される。
次に、蛍光補正処理部５２は、ステップＳ６，Ｓ８で算出した調整量αおよび補間係数βに基づいて補正量ΔＢ、ΔＲ、ΔＧを算出する。
【０１５４】
具体的には、下記の補正式を用いることができる。
ΔＢ＝β＿Ｂ×α
ΔＲ＝α×β＿α
ΔＧ＝α×β＿α
次に、蛍光補正処理部５２は、ＲＧＢデータを補正する（ステップＳ１２）。
【０１５５】
具体的には、下記の式により算出する。
Ｉ＿Ｂ＝Ｓ＿Ｂ＋ΔＢ
Ｉ＿Ｒ＝Ｓ＿Ｒ＋ΔＲ
Ｉ＿Ｇ＝Ｓ＿Ｇ＋ΔＧ
これにより、蛍光補正処理部５２は、補正値Ｉ＿Ｂ，Ｉ＿Ｇ，Ｉ＿Ｂを算出する。
【０１５６】
そして、蛍光補正処理を終了する（エンド）。
そして、エッジ検出部５４および色補正部５６は、蛍光補正処理部５２からの補正値Ｉ＿Ｒ，Ｉ＿Ｇ，Ｉ＿Ｂに基づいて画像情報を再生するとともに、必要な入力画像処理を実行して、最終的な画像データとして出力する。
【０１５７】
当該方式により図１１で説明した調整が実行され、蛍光色の色再現性を高めるとともに、可読性を向上できる。
【０１５８】
なお、上記において調整係数αについては、各ＲＧＢデータ毎に調整する方式について説明しなかったが、各ＲＧＢデータ毎の調整係数α＿Ｒ、α＿Ｇ、α＿Ｂを算出して蛍光補正処理を実行することも可能である。
【０１５９】
このように、画像読取装置４においては、紫外成分に対応する光源を点灯させたときの光電変換素子出力値を用いて、ＲＧＢ光源をそれぞれ点灯させたときの光電変換素子出力が補正される。
【０１６０】
なお、本例においては、上記の図１４の補間テーブルを用いて、推定色に近い補間係数βを算出するが、青色およびシアン色間の場合には補間係数の変動は小さいが、他色（例えば赤色周辺）の場合には、補間係数の変動は大きい。したがって、補間テーブルの補間係数βを設定するための色の種類（パラメータ）を赤色に近い色の場合には、青色やシアン色に比べて多くするようにしても良い。これにより蛍光色の色再現性を高めるとともに、可読性を向上できる。
【０１６１】
＜Ｆ．利点＞
本実施の形態に従う１ラインＣＩＳ読取方式を採用する画像読取装置では、一般的な３光源（Ｒ光源、Ｇ光源、Ｂ光源）に加えて、紫外光を発生するＵＶ光源、および、読取対象からの反射光に含まれる紫外光をカットするカットフィルターを追加することで、紫外光を照射した際に読取対象から発生する蛍光成分を用いて、各光源からの光を読取対象へ照射したときに得られる画像信号を補正することで、蛍光色の色再現性を高めるとともに、可読性を向上できる。
【０１６２】
本実施の形態に従う１ラインＣＩＳ読取方式を採用する画像読取装置によれば、蛍光色素を含む読取対象の描画範囲に対する色再現性について、ＣＣＤ読取方式および３ラインＣＩＳ読取方式と同等の性能を実現できるので、これらの読取方式に比較して、同等性能であって、かつ、より低コストの構成を実現できる。
【０１６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６４】
１  画像形成装置、２  本体部、３  自動原稿搬送部、４  画像読取装置、５  画像形成部、６  給紙部、７  排紙部、８  操作パネル、２１  スリットガラス、２２  第１読取部（読取部）、２３  プラテンガラス、２４  走査ユニット、２５  走行ユニット、３０  原稿搬送路、３１  給紙トレイ、３２  ピックアップローラ、３３  給紙ローラー対、３４  中間ローラー対、３５  レジストローラ対、３６  第１搬送ローラー対、３７  第２搬送ローラー対、３８  第２読取部、３９  第３搬送ローラー対、４０  排紙ローラー、４１  排紙トレイ、４２，４３  読取ローラー、４６  支持レール、５０  画像処理部、５２  蛍光補正処理部、５４  エッジ検出部、５６  色補正部、６０  コントローラ基板、６２  タイミング制御部、６４  発光制御部、６６  信号取得部、７０  原稿、７２，８２，９２  描画部分、２２０  発光部、２２０Ｂ，２２０Ｇ，２２０Ｒ，２２０ＵＶ  光源、２２２  導光体、２２４，２２４Ｒ，２２４Ｇ，２２４Ｂ  結像レンズ、２２６，２２６Ｒ，２２６Ｇ，２２６Ｂ  ラインセンサー、２２７Ｒ，２２７Ｇ，２２７Ｂ  カラーフィルター、２２８  カットフィルター。
【図１】
2018067769.tif 000003
【図２】
2018067769.tif 000004
【図３】
2018067769.tif 000005
【図４】
2018067769.tif 000006
【図５】
2018067769.tif 000007
【図６】
2018067769.tif 000008
【図７】
2018067769.tif 000009
【図８】
2018067769.tif 000010
【図９】
2018067769.tif 000011
【図１０】
2018067769.tif 000012
【図１１】
2018067769.tif 000013
【図１２】
2018067769.tif 000014
【図１３】
2018067769.tif 000015
【図１４】
2018067769.tif 000016